(57)【要約】【課題】場所や日時等の各種表示を現場において簡単に変更することができて、表示板の設置や固定が簡単に行えるようにすることのできる表示板支持台を提供すること。【解決手段】多角柱状の枠形状に形成することにより複数の側面１１を有する台本体１０と、この台本体１０の第１の側面１１を利用して形成されて、表面側に表示板３０が配置される支持面１１ａと、第２の側面１１を利用して形成した載置面１１ｂとにより構成したこと。【選択図】図２
2011180231.tif 000002
【特許請求の範囲】
【請求項１】
表示事項を表示した表示板を支持しながら、施工現場とともに撮影するための表示板支持台であって、
多角柱状の枠形状に形成することにより複数の側面を有する台本体と、この台本体の第１の側面を利用して形成されて、表面側に前記表示板が配置される支持面と、第２の側面を利用して形成した載置面とにより構成したことを特徴とする表示板支持台。
【請求項２】
表示事項を表示した表示板を支持しながら、施工現場とともに撮影するための表示板支持台であって、
多角柱状の枠形状に形成することにより複数の側面を有する台本体と、この台本体の第１の側面を利用して形成されて、表面側に前記表示板が配置される支持面と、第２の側面を利用して形成した取付面と、この取付面に取り付けたスタンドとにより構成したことを特徴とする表示板支持台。
【請求項３】
前記台本体の一側面に連結突起を形成するとともに、前記台本体の他側面に前記連結突起が嵌合される嵌合部を形成して、これらの嵌合部及び前記連結突起を互いに嵌合させることにより、前記台本体の複数を連結したことを特徴とする請求項１または請求項２に記載の表示板支持台。
【請求項４】
前記台本体の少なくとも前記支持面の両端部に、前記台本体の軸心方向と平行で、先端が、前記支持面の表面から前記表示板の厚さ分程度離れた係止爪を形成して、これらの係止爪と前記支持面との間に、前記表示板の抜き差しと支持とを行えるようにしたスライド空間を形成したことを特徴とする請求項１〜請求項３のいずれかに記載の表示板支持台。
【請求項５】
前記各側面の両端縁を、他の各側面の各端縁に回動自在に連結するとともに、少なくとも１つの回動自在な連結部分について、分離及び連結を可能としたことを特徴とする請求項１〜請求項４のいずれかに記載の表示板支持台。
【請求項６】
前記スタンドは、前記表示板支持台の取付面に対して取り付けられる取付部を有したものとしたことを特徴とする請求項２〜請求項５のいずれかに記載の表示板支持台。
【請求項７】
前記表示板の先端に蓋部を一体的に形成して、この表示板を前記支持面にて支持させたとき、前記蓋部が前記台本体の開口部を覆って、当該台本体内を閉鎖空間とすることができるようにしたことを特徴とする請求項１〜請求項６のいずれかに記載の表示板支持台。
【請求項８】
前記表示板の少なくとも一部を磁性体によって形成するとともに、この表示板上にての表示を行う単文字板を磁力を有するものとすることによって、各単文字板が前記磁性体に吸着されるようにしたことを特徴とする請求項１〜請求項７のいずれかに記載の表示板支持台。
【発明の詳細な説明】
【技術分野】
【０００１】
本発明は、施工現場の状態を画像として保存すべく、施工現場の撮影を行う際に使用される表示板支持台に関し、特に、場所や日時を表示した表示板を支持するための表示板支持台に関するものである。
【背景技術】
【０００２】
各種土木工事や、河川の改修工事あるいは除草作業を行う際、もしくは完了した際には、例えば図１にも示すように、その施工現場の状況を撮影して、これを報告書に添付する必要がある。勿論、その添付写真は、どこの施工現場の工事を何時行って、どのような状態からどのような結果になったかを一目瞭然とするために、その写真の中に写っている表示板には場所と日時等の必要な事項が記載されている。
【０００３】
この表示板としては、所謂「黒板」が採用されていて、必要事項をチョークによって書き込むごとが多いが、施工現場において「写真写りが良い」状態にしなければならない。一般的には、このような表示板を適当なところに立てかけたり、置いたりして、写真にしたとき、施工現場及び当該表示板の記載事項がよく見えるようにしている。
【０００４】
しかしながら、黒板である表示板を置いたり立てかけたりする場合に、施工現場では適当なものがない場合が多く、平らにもなっていない場合もあって、この表示板を支える人手が必要な場合もある。
【０００５】
そこで、このような撮影の際に使用される表示板や標尺の支持を行うものとして、特許文献１または２、あるいは非特許文献１にて示すようなものが提案されている。
【先行技術文献】
【特許文献】
【０００６】
【特許文献１】特開平９−１９８３号公報、要約
【特許文献２】特開２００２−２６８５６０号公報、要約、段落０００５
【非特許文献】
【０００７】
【非特許文献１】山本商会株式会社(住所：神奈川県川崎市川崎区大師駅前一丁目十六番十五号)のホームページ、http://www.y-gjp/corporatelhistory.html、標尺スタンド
【発明の概要】
【発明が解決しようとする課題】
【０００８】
特許文献１に記載された「工事用黒板」は、「鉄筋コンクリート製の建築構造物の工事現場において、その配筋状況の測定記録を写真撮影する際に使用される』ことを目的としてなされたもので、図８にも示すように、「黒板表面の縦方申の一側縁と横方向の下端縁に、垂直標尺と水平標尺を形成し、当該垂直標尺の延長線上と水平標尺の延長線上に出没自在な垂直ロッド標尺と水平ロッド標尺を、黒板本体に取り付けた」ものである。
【０００９】
この特許文献１に記載された「工事用黒板」は、「垂直ロッド標尺と水平ロッド標尺を、回動自在に支持するか、或いは、スライド自在に支持し、それを必要に応じて黒板本体から出没自在とすることで、それを嵩ばらせることなく携帯に利便とすると共に、単なる工事用黒板としての使用にも対処できるようにしている」ものと考えられるものであるが、あくまでも「鉄筋コンクリート製の建築構造物の工事現場において、その配筋状況の測皐記録を写真撮影する際に使用される」という特定の使用態様のものであって、上記のような特定の構成を有するものであるため、一般的な工事写真を撮るためのものとしては適していないと考えられる。
【００１０】
また、特許文献２には、「利便性があって商品価値を高めること」を目的としてなされた「表示スタンド」に関する発明が記載されているが、この「表示スタンド」は、図１１に示すように、「平面三角形の筒体に折り曲げられている表示板体１と、表示板体１の突き合わせ両側辺部１ａ，１ｂを結合する結合手段２とを具備し、表示板体１は二つの折り曲げ部３ａ，３ｂを形成しており、表裏の両面側に表示部４ａ，４ｂ，４ｃが形成され、表示部は対の透明板５ａ，５ｂ，５ｃと透明板間に差し込まれているメニュー用紙とからなり、結合手段２は一方の側辺部１ａの上下隅部に埋め込んである磁石８と、他方の側辺部１ｂの上下隅部に取付けてあって上記磁石に吸着可能である鋼製保護金具９とからなる」ものであるから、利便性のある「表示スタンド」となっていると考えられる。
【００１１】
そして、この特許文献２の「表示スタンド」は、「使用場所や目的用途に応じて表示板体を筒体から平板状にしたり、折り畳んで使用する。表示板体が筒体の状態にある場合には、突き合わされる側辺部は結合手段によって結合されて、筒体の形態が維持される。結合手段として磁石の磁気力を利用するものにあっては、側辺部の結合又は分離が簡単に行える」（当該特許文献２の段落０００５の記載）ものであり、これを上述した表示板そのものにすることも考えられるが、大きさは兎も角として、図１１の上下方向の連結ができない構造となっているため、工事現場の撮像用とするには使用勝手が悪くなるものと考えられる。
【００１２】
一方、非特許文献１には標尺スタンドが示されているが、この標尺スタンドの特徴は、「エーエルロッド・サンロッド対応、ピンポール取付可。６０ｍｍ幅用」との説明がなされていることから、どうやら、図１に示されている目盛りを付した標尺を直接取り付けるためのものであって、背面に取り付けたスタンドによってこの標尺の角度を自由に設定できるようにしたものであると考えられる。
【００１３】
一般に、工事現場の状態を、日付や工事番号等の表示事項を表示した表示板とともに撮像するには、これらの日付や工事番号等は、大きく表示しなければならないだけでなく、特許文献２のメニューとは異なって、予め多数印刷して用意しておけるものでもない。何故なら、表示事項は工事現場毎に異なる内容であり、工事現場とともに撮像しなければならない内容も１回限りだからである。また、工事の進捗状況も、種々な条件によって予定通りには行かず、予定していた日に撮像が行える訳でもない。
【００１４】
そこで、本発明者等は、施工現場の撮影を行う際に使用される表示板について、場所や日時等の各種表示を現場において簡単に変更することができるようにしながら、この表示板を支持するための「表示板支持台」を、簡単にかつ使用勝手のよいものするにはどうしたらよいか、について種々検討を重ねてきた結果、本発明を完成したのである。
【００１５】
すなわち、本発明の目的とするところは、施工現場の撮影を行う際に使用される表示板について、場所や日時等の各種表示を現場において簡単に変更することができて、表示板の表示を施工現場とともに撮像するにあたって、この表示板の設置や固定が簡単に行えるようにすることのできる表示板支持台を簡単な構成によって提供することにある。
【課題を解決するための手段】
【００１６】
以上の課題を解決するために、まず、請求項１に係る発明の採った手段は、後述する最良形態の説明中で使用する符号を付して説明すると、
「表示事項を表示した表示板３０を支持しながら、施工現場とともに撮影するための表示板支持台１００であって、
多角柱状の枠形状に形成することにより複数の側面１１を有する台本体１０と、この台本体１０の第１の側面１１を利用して形成されて、表面側に表示板３０が配置される支持面１１ａと、第２の側面１１を利用して形成した載置面１１ｂとにより構成したことを特徴とする表示板支持台１００」
である。
【００１７】
この請求項１の表示板支持台１００は、図２、及び図５〜図７に示すように、複数（後述する実施例では三つで代表しているが、四つでも、それ以上でもよい）の側面１１を有する台本体１０と、この台本体１０の第１の側面１１を利用して形成されて、表面側に表示板３０が配置される支持面１１ａと、第１の側面１１とは異なる第２の側面１１を利用して形成した載置面１１ｂとにより構成したものである。
【００１８】
つまり、台本体１０は、図７にも示すように、多角柱状、例えば三角柱状で枠形状に形成することにより三つの側面１１を有するものとしたものであって、これら三つの側面１１の内の適宜なものを第１の側面として選択できるようにしたものである。第１の側面１１が決まれば、これに隣接する何れか一方の側面１１を第２の側面１１として自由に選択できるものとなっているのである。
【００１９】
台本体１０が複数の側面１１を有するものであると、まず三つの内のいずれの側面１１を載置面１１ｂとしても、これに隣接する側面１１は、載置面１１ｂとした側面１１に対して傾斜することになる。従って、この傾斜した側面１１の一方を表示板３０のための支持面１１ａとすれば、例えば図１に示したような工事現場の様子を写真に写した場合、現場と、そこに置いた当該表示板支持台１００によって支持した表示板３０の表示面とがカメラ側に向くから、各種情報を明確に表示した現場写真が撮れることになる。
【００２０】
上記課題を解決するために、請求項２に係る発明の採った手段は、後述する最良形態の説明中で使用する符号を付して説明すると、
「表示事項を表示した表示板３０を支持しながら、施工現場とともに撮影するための表示板支持台１００であって、
多角柱状の枠形状に形成することにより複数の側面１１を有する台本体１０と、この台本体１０の第１の側面１１を利用して形成されて、表面側に前記表示板３０が配置される支持面１１ａと、第２の側面１１を利用して形成した取付面１１ｃと、この取付面１１ｃに取り付けたスタンド２０とにより構成したことを特徴とする表示板支持台１００」
である。
【００２１】
この請求項２に係る表示板支持台１００の構成は、支持面１１ａに隣接する側面１１を利用して形成した取付面１１ｃにスタンド２０を取り付けた点以外は、上記請求項１に係る表示板支持台１００と同様であり、図５及び図６に示したように使用されるものである。
【００２２】
スタンド２０としては、種々な態様が考えられるが、例えば、柱である本体部２１と、この本体部２１の上端に取り付けられて、表示板支持台１００側の支持面１１ａに隣接する側面１1を利用して形成した取付面１１ｃに取り付けられることになる取付部２２と、本体部２１の下端に連結した載置板２５とからなるものとすればよい。この載置板２５は、地面に突き刺すことができる突き刺し部２４に変えて実施することもできる。
【００２３】
以上のようなスタンド２０は、施工現場で撮影する際に台本体１０に連結すればよく、保管や運搬を行う場合は、台本体１０から外しておけば、表示板支持台１００の保管や運搬を簡単に行えるものである。そして、このスタンド２０は、施工現場において、突き刺し部２４を使用するか載置板２５を使用するかは別にして、台本体１０を簡単に支持させることができるだけでなく、台本体１０を少し持ち上げる状態になるから、施工現場の少し離れた位置からの撮影をきれいな状態で行うことができることになる。
【００２４】
また、上記課題を解決するために、請求項３に係る発明の取った手段は、上記請求項１または請求項２に記載の表示板支持台１００について、
「台本体１０の一側面１０ａに連結突起１２を形成するとともに、台本体１０の他側面１０ｂに連結突起１２が嵌合される嵌合部１３を形成して、これらの嵌合部１３及び連結突起１２を互いに嵌合させることにより、台本体１０の複数を連結したこと」
である。
【００２５】
すなわち、この請求項３の表示板支持台１００は、図５に示すように、複数（図５の実施形態では三つである）の台本体１０を互いに連結し得るようにしたものであり、そのために、各台本体１０の一側面１０ａに連結突起１２を形成するとともに、台本体１０の他側面１０ｂに連結突起１２が嵌合される嵌合部１３を形成したものである。
【００２６】
以上の結果、この表示板支持台１００では、図５に示すように、三つの台本体１０を互いに連結して長尺なものとすることができるため、表示板３０の支持面１１ａを広い面積のものとすることができて、表示事項を多くすることができるのである。
【００２７】
従って、この請求項３の表示板支持台１００では、上記請求項１または２のそれと同様な機能を発揮する他、表示事項を多くすることができるものとなっているのである。
【００２８】
また、上記課題を解決するために、請求項４に係る発明の取った手段は、上記請求項１〜請求項３のいずれかに記載の表示板支持台１００について、
「台本体１０の少なくとも支持面１１ａの両端部に、台本体１０の軸心方向と平行で、先端１４ａが、支持面１１ａの表面から表示板３０の厚さ分程度離れた係止爪１４を形成して、これらの係止爪１４と支持面１１ａとの間に、表示板３０の抜き差しと支持とを行えるようにしたスライド空間１４ｂを形成したこと」
である。
【００２９】
この請求項４の表示板支持台１００は、その台本体１０に対して表示事項を表示した表示板３０の抜き差しと支持とを行えるようにしたものであり、表示板３０の表示事項を変更して全体の取り替えが容易に行えるようにしたものである。
【００３０】
そのために、この請求項４の表示板支持台１００では、台本体１０の少なくとも支持面１１ａの両端部に係止爪１４を形成して、これらの係止爪１４と支持面１１ａとの間に、表示板３０の抜き差しと支持とを行えるようにしたスライド空間１４ｂを形成したものなのである。
【００３１】
従って、この請求項４の表示板支持台１００では、上記請求項１〜請求項３のいずれかに記載のそれと同様な機能を発揮する他、表示板３０の表示事項を変更して全体の取り替えが容易に行えるものとなっているのである。
【００３２】
また、上記課題を解決するために、請求項５に係る発明の取った手段は、上記請求項１〜請求項４のいずれかに記載の表示板支持台１００について、
「各側面１１の両端縁を、他の各側面１１の各端縁に回動自在に連結するとともに、少なくとも１つの回動自在な連結部分について、分離及び連結を可能としたこと」
である。
【００３３】
この請求項５に係る表示板支持台１００は、その台本体１０の各側面１１を固定的にしたものではなく、台本体の各側面１１を、回動自在に連結するとともに、少なくとも１つの回動自在な連結部分について、分離及び連結を可能としたものであり、台本体１０を、特許文献２のそれのように、保管に便利な展開状態にも、また使用できるように多角柱状にもできるようにしているものである。
【００３４】
従って、この請求項５の表示板支持台１００では、上記請求項１〜請求項４のいずれかに記載のそれと同様な機能を発揮する他、展開状態にも多角柱状状態にも、容易に変換できるものとなっているのである。
【００３５】
また、上記課題を解決するために、請求項６に係る発明の取った手段は、上記請求項２〜請求項５のいずれかに記載の表示板支持台１００について、
「スタンド２０は、表示板支持台１００の取付面１１ｃに対して取り付けられる取付部２２を有したものとしたこと」
である。
【００３６】
この請求項６に係る表示板支持台１００は、これを支持するスタンド２０が表示板支持台１００の取付面１１ｃに対して取り付けられる取付部２２を有したものとしたものであり、この取付部２２によって、表示板支持台１００の台本体１０が安定的に支持できるようにしたものである。
【００３７】
つまり、この表示板支持台１００では、図８に示すように、これを支持するスタンド２０が、取付部２２を介して、表示板支持台１００の、つまり台本体１０の取付面１１ｃに対して取り付けられることになるから、表示板支持台１００とスタンド２０との連結がしっかりと行える。つまり、この請求項６の表示板支持台１００は、表示板３０の安定した支持場所がない施工現場においても、撮像のための表示板３０の設置が安定してなされるのである。
【００３８】
なお、この表示板支持台１００については、そのスタンド２０を、表示板支持台１００の取付面１１ｃに対して取り付けられる取付部２２を上端に有し、下端には、施工場所に載置される載置板２５を有したものとすることもできる。
【００３９】
つまり、このスタンド２０は、上下両端に取付部２２と載置板２５とを有したものであり、取付部２２は表示板支持台１００の取付面１１ｃに対して取り付けられ、載置板２５は、施工場所に載置されるようにしたものである。
【００４０】
従って、この請求項６の表示板支持台１００では、上記請求項２〜請求項５のいずれかに記載のそれと同様な機能を発揮する他、撮像のための表示板３０の設置を安定してできるものとなっているのである。
【００４１】
また、上記課題を解決するために、請求項７に係る発明の取った手段は、上記請求項１〜請求項６のいずれかに記載の表示板支持台１００について、
「表示板３０の先端に蓋部３１を一体的に形成して、この表示板３０を支持面１１ａにて支持させたとき、蓋部３１が台本体１０の開口部を覆って、当該台本体１０内を閉鎖空間とすることができるようにしたこと」
である。
【００４２】
すなわち、この請求項７に係る表示板支持台１００は、その表示板３０について工夫したものであり、図３及び図４に示すように、台本体１０に形成される開口部を覆うことになる蓋部３１を、表示板３０の先端に形成したものである。この蓋部３１の表示板３０に対する形成は、例えばこの表示板３０を金属によって形成したものであれば「折曲」や「溶接」が考えられ、例えば合成樹脂を材料とするのであれば、「射出成形」が考えられる。
【００４３】
勿論、この蓋部３１は、表示板３０の先端に一体的に形成する必要がある。何故なら、表示板３０は、差し込みによって台本体１０に取り付けられるものであり、台本体１０に完全に支持されたとき、この台本体１０の端部に開口している開口部をこの蓋部３１によって覆う、あるいは覆蓋する必要があるからである。
【００４４】
また、この蓋部３１の形状は、台本体１０の端部に開口している開口部の形状に合わせたものとされることは言うまでもない。開口部の多いまたは覆蓋を十分なものとするためである。図３及び図４に示す実施形態では、台本体１０が三角形状の開口部を有する場合を想定したものであり、蓋部３１の形状は約三角形状のものとしてある。
【００４５】
このような蓋部３１によって台本体１０の開口部を覆えば、図３から理解できるように、台本体１０内の空間を閉鎖空間とすることができる。このため、当該蓋部３１によって覆蓋された閉鎖空間内には、例えば図３に示すように、本発明の表示板支持台１００を使用するにあたって必要な工具や物品を収納しておくことができ、これらの工具などが蓋部３１によって簡単には外に出ないようにすることができるのである。
【００４６】
当該蓋部３１によって覆蓋された閉鎖空間内に入れるものとしては、例えば、以下がに述べるような単文字板３０ａがある。この単文字板３０ａとしては、例えば図５に示すように、表示板３０上に表示すべき文字や図形を構成するためのもので、この単文字板３０ａを適宜選択して用いることにより、日付や工事番号等の表示事項を簡単に構成できるようにしたものである。このような単文字板３０ａの多数は、蓋部３１によって簡単には台本体１０から外に出ないようにすることができるのである。
【００４７】
従って、この請求項７の表示板支持台１００では、上記請求項１〜請求項６のいずれかに記載のそれと同様な機能を発揮する他、台本体１０そのものを単文字板３０ａ等の収納箇所として利用できるだけでなく、この収納箇所からの単文字板３０ａ等の飛び出しを、蓋部３１によって素子することができるものとなっているのである。
【００４８】
また、上記課題を解決するために、請求項８に係る発明の取った手段は、上記請求項１〜請求項７のいずれかに記載の表示板支持台１００について、
「表示板３０の少なくとも一部を磁性体によって形成するとともに、この表示板３０上にての表示を行う単文字板３０ａを磁力を有するものとすることによって、各単文字板３０ａが前記磁性体に吸着されるようにしたこと」
である。
【００４９】
すなわち、この請求項８に係る表示板支持台１００は、表示板３０上に表示すべき文字や図形を選択した単文字板３０ａによって簡単に構成できる、つまり、これらの単文字板３０ａを適宜選択して用いることにより、日付や工事番号等の表示事項を簡単に構成できるようにしたものである。
【００５０】
そして、各単文字板３０ａが磁力を有するものとするとともに、これらの各単文字板３０ａが表示板３０にその磁力によって簡単に吸着されるようにしたものであり、そのために、表示板３０の少なくとも一部を磁性体によって形成したのである。少なくとも一部とは、当該表示板３０の全体を鉄板によって形成する場合は勿論、例えば、合成樹脂によって一体成形するにあたって、磁性体である鉄片をモールドするようにすることも含むからである。
【００５１】
従って、この請求項８の表示板支持台１００では、上記請求項１〜請求項７のいずれかに記載のそれと同様な機能を発揮する他、磁力を有する単文字板３０ａの複数によって簡単に表示事項を形成でき、かつ少なくとも一部が磁性体である表示板３０への各単文字板３０ａの取り付けが簡単になっているのである。
【発明の効果】
【００５２】
以上、説明した通り、本発明においては、
「表示事項を表示した表示板３０を支持しながら、施工現場とともに撮影するための表示板支持台１００であって、
多角柱状の枠形状に形成することにより複数の側面１１を有する台本体１０と、この台本体１０の第１の側面１１を利用して形成されて、表面側に表示板３０が配置される支持面１１ａと、第２の側面１１を利用して形成した載置面１１ｂとにより構成したこと」
あるいは、
「表示事項を表示した表示板３０を支持しながら、施工現場とともに撮影するための表示板支持台１００であって、
多角柱状の枠形状に形成することにより複数の側面１１を有する台本体１０と、この台本体１０の第１の側面１１を利用して形成されて、表面側に表示板３０が配置される支持面１１ａと、第２の側面１１を利用して形成した取付面１１ｃと、この取付面１１ｃに取り付けたスタンド２０とにより構成したこと」
にその構成上の主たる特徴があり、これにより、簡単に構成することができて、表示板３０の表示を施工現場とともに撮像するにあたって、この表示板３０の設置や固定が簡単に行えるようにすることのできる表示板支持台１００を提供することができるのである。
【図面の簡単な説明】
【００５３】
【図１】本発明の一実施形態に係る表示板支持台と標尺とを設置した例を示す施工現場の斜視図である。
【図２】同表示板支持台の拡大側面図である。
【図３】同表示板支持台において採用した表示板と単文字板の一例を示す分解斜視図図である。
【図４】同表示板の一例を示す斜視図図である。
【図５】本発明の他の実施形態に係る表示板支持台を示すもので、(a)は正面図、(b)は側面図である。
【図６】同表示板支持台の側面図である。
【図７】本発明に係る表示板支持台を構成する台本体を示すもので、(a)は正面図、(b)は左側面図、(c)は右側面図、(d)は平面図である。
【図８】同表示板支持台を構成しているスタンドを示すもので、(a)はその上部を拡大して示した部分拡大断面図、(b)は(a)の平面図である。
【図９】同表示板支持台のスタンドの他の例を示すもので、(a)は平面図、(b)は正面図、(c)は側面図である。
【図１０】特許文献１の代表図である。
【図１１】特許文献２の代表図である。
【図１２】非特許文献１中の標尺スタンドの斜視図である。
【発明を実施するための形態】
【００５４】
次に、以上のように構成した各請求項に係る発明を、図面に示した実施の形態である表示板支持台１００について説明するが、この実施形態に係る表示板支持台１００は、実施例１〜実施例７の実施例に分けることができるため、各実施例毎に説明して行くこととする。
【００５５】
（実施例１）
まず、図１及び図２には、実施例１に係る表示板支持台１００が示してあるが、実施例１に係る表示板支持台１００は、
「表示事項を表示した表示板３０を支持しながら、施工現場とともに撮影するための表示板支持台１００であって、
多角柱状の枠形状に形成することにより複数の側面１１を有する台本体１０と、この台本体１０の第１の側面１１を利用して形成されて、表面側に表示板３０が配置される支持面１１ａと、第２の側面１１を利用して形成した載置面１１ｂとにより構成したことを特徴とする表示板支持台１００」
である。
【００５６】
すなわち、この実施例１の表示板支持台１００は、図１、図２及び図７に示すように、複数の側面１、１を有する台本体１と、この台本体１０の一側面１１を利用して形成されて、表面側に表示板３０が配置される支持面１１ａと、この支持面１１ａに隣接する側面１１を利用して形成した載置面１１ｂとにより構成したものである。つまり、台本体１０は、図７にも示すように、５角柱状で枠形状に形成したものであり、これにより、複数の側面１１を有するものとしたものである。
【００５７】
台本体１０が複数の側面１１を有するものであると、まず三つの内のいずれの側面１１を載置面１１ｂとしたとしても、これに隣接する側面１１は、載置面１１ｂとした側面1１に対して傾斜することになる。従って、この傾斜した側面１１の「方を表示板３０ための支持面１１ａとすれば、例えば図１に示したような工事現場の様子を写真に写した場合、現場と、そこに置いた標尺の表示面と、当該表示板支持台１００によって支持した表示板３０の表示面とがカメラ側に向くから、各種情報を明確に表示した現場写真が撮れることになる。
【００５８】
特に、当該表示板支持台１００を構成している台本体１０を、図１及び図２に示したような「正三角形」にすれば、どの側面１１を載置面１１ｂとしてもよくなるから、付近に支えとなる石や台がなくても、また補助作業を行ってくれる補助者がいなくても、そして地面が完全な平面でなくても、表示板３０の、カメラに向かうような斜め支持を簡単に行うことができるのである。
【００５９】
勿論、この表示板支持台１００を構成している台本体１０は、多角柱状で枠形状に形成したものであるから、全体が軽くて持ち運びが容易になっているだけでなく、図２にも示したように、中が中空であるから、この中に、図１に示した標尺を差し込んでおくことができ、当該表示板支持台１００や標尺の保管を簡単に行えるのである。
【００６０】
従って、この実施例１に係る表示板支持台１００は、簡単に構成することができて、表示板３０の表示を施工現場とともに撮像するにあたって、この表示板３０の設置や固定が簡単に行えるものとなっているのである。
【００６１】
（実施例２）
図５及び図６には、実施例２に係る表示板支持台１００が示してあるが、この表示板支持台１００は、
「表示事項を表示した表示板３０を支持しながら、施工現場とともに撮影するための表示板支持台１００であって、
多角柱状の枠形状に形成することにより複数の側面１１を有する台本体１０と、この台本体１０の第１の側面１１を利用して形成されて、表面側に表示板３０が配置される支持面１１ａと、第２の側面１１を利用して形成した取付面１１ｃと、この取付面１１ｃに取り付けたスタンド２０とにより構成したことを特徴とする表示板支持台１００」
である。
【００６２】
すなわち、この実施例２に係る表示板支持台１００の構成は、支持面１１ａに隣接する側面１１を利用して形成した取付面１ｃにスタンド２０を取り付けた点以外は、上記実施例１に係る表示板支持台１００と同様であり、図５及び図６に示したように使用されるものである。
【００６３】
スタンド２０としては、種々な態様が考えられるが、図５及び図６に示したものは、柱である本体部２１と、この本体部２１の上端に取り付けられて、表示板支持台１００側の支持面１１ａに隣接する側面１１を利用して形成した取付面１１ｃに取り付けられることになる取付部２２と、本体部２１の下端に連結した載置板２５とからなるものである。この載置板２５は、図９に示す突き刺し部２４に変えて実施することもできる。
【００６４】
図９に示したスタンド２０は、取付面１１ｃに取り付けられることになる取付部２２である天板２２ａと、柱である本体部２１と、この本体部２１の下端に連結した突き刺し部２４または載置板２５とからなるものである。この図９に示したスタンド２０は、天板２２ａの中央に本体部２１を取り付けるための穴２３が形成してある。なお、この穴２３の左右に、当該天板２２ａを取付面１１ｃ側に取り付けるための取付穴を形成しておいてもよい。
【００６５】
以上のようなスタンド２０は、施工現場で撮影する際に台本体１０に連結すればよく、保管や運搬を行う場合は、台本体１０から外しておけば、表示板支持台１００の保管や運搬を簡単に行えるものである。そして、このスタンド２０は、施工現場において、突き刺し部２４を使用するか載置板２５を使用するかは別にして、台本体１０を簡単に支持させることができるだけでなく、台本体１０を少し.持ち上げる状態になるから、施工現場の少し離れた位置からの撮影をきれいな状態で行うことができることになる。
【００６６】
従って、この実施例２に係る表示板支持台１００も、簡単に構成ずること.ができて、表示板３０の表示を施工現場とともに撮像するにあたって、この表示板３０の設置や固定が簡単に行えるものとなっているのである。
【００６７】
（実施例３）
また、実施例３に係る表示板支持台１００は、上記実施例１または実施例２に記載の表示板支持台１００について、
「台本体１０の一側面１０ａに連結突起１２を形成するとともに、台本体１０の他側面１０ｂに連結突起１２が嵌合される嵌合部１３を形成して、これらの嵌合部１３及び連結突起１２を互いに嵌合させることにより、台本体１０の複数を連結したこと」
としたものである。
【００６８】
すなわち、この実施例３に係る表示板支持台１００は、例えば図７に示すように、これを構成する各台本体１０の一端面１０ａに連結突起１２を形成するとともに、台本体１０の他端面１０ｂに嵌合部１３を形成したものであり、これらの嵌合部１３及び連結突起１２を互いに嵌合させることにより、例えば図５に示すように、台本体１０の複数(図５では３個)を連結したものである。
【００６９】
このように、各台本体１０に連結突起１２及び嵌合部１３を形成しておいて、これらの連結突起１２及び嵌合部１３を互いに嵌合できるようにしてあれば、表示板支持台１００全体の横方向(台本体１０の軸心方向)の長さを自在に変更することができるから、これによって形成される表示板３０を支持するための支持面１１ａの大きさも自在に変更できることになる。換言すれば、当該表示板支持台１００は、横方向の大きさが異なる種々な表示板３０を採用して、施工現場の状況写真を撮ることができるのであり、採用すべき表示板３０の横方向の長さに制限を受けないものとなっているのである。
【００７０】
また、この表示板支持台１００では、これを構成する各台本体１０を比較的小さい(横方向の長さが短い)ものとして形成しておくことができるのであり、台本体１０自体の例えば射出成形による成形を簡単に行うことができ、結果的に表示稼支持台１００全体の製造も容易にすることができるものである。
【００７１】
従って、この実施例３に係る表示板支持台１００は、実施例１または２のそれと同様な機能を発揮する他、長さを自在に変更できるものとなっているのである。
【００７２】
（実施例４）
さらに、実施例４に係る表示板支持台１００は、上記実施例１〜実施例３のいずれかの表示板支持台１００について、
「台本体１０の少なくとも支持面１１ａの両端部に、台本体１０の軸心方向と平行で、先端１４ａが、支持面１１ａの表面から表示板３０の厚さ分程度離れた係止爪１４を形成して、これらの係止爪１４と支持面１１ａとの間に、表示板３０の抜き差しと支持とを行えるようにしたスライド空間１４ｂを形成したこと」
としたものである。
【００７３】
すなわち、この実施例４に係る表示板支持台１００では、例えば、図２または図６に示すように、台本体１０を構成している少なくとも一つの側面１１の両端縁に、先端１４ａが側面１１と略平行に突出することになる係止爪１４をそれぞれ形成したものであり、これら各係止爪１４の先端１４ａと側面１１との間にスライド区間１４ｂを形成したものである。ここで、各係止爪１４は、台本体１０の軸心方向(横方向)と平行になって延在している。
【００７４】
以上の結果、この実施例４に係る表示板支持台１００では、図２、図６、及び図８に示すように、上記係止爪１４と支持面１１ａとの間にスライド区間１４ｂが形成されるのであるから、図２及び図６に示すように、このスライド区間１４ｂ内に対して、表示板３０の図示上下両端部が抜き差し可能になるだけでなく、このスライド区間１４ｂには先端１４ａが突出しているから、差し込まれた表示板３０は側面１１との間で支持されることになるのである。
【００７５】
換言すれば、この表示板支持台１００では、そのスライド区間１４ｂ内に表示板３０の両端縁を差し込むことによって、表示板３０の支持が簡単に行え、逆に、この表示板３０は先端１４ａにて押さえられているだけであるから、簡単に引き抜くこともできるのであり、いずれにしても、表示板３０の支持と交換が簡単に行えるものとなっているのである。
【００７６】
さらに、上記の各係止爪１４を、複数の側面１１全てに形成すれば、どの側面１１も表示板３０を支持するための面とすることができ、当該表示板支持台１００の使用勝手をさらに良好にすることができる。
【００７７】
従って、この実施例４に係る表示板支持台１００は、上記実施例１から３のいずれかに係る表示板支持台１００と同様な機能を発揮する他、表示板３０の支持が確実に行え、かつ表示板３０の交換も簡単に行えるものとなっているのである。
【００７８】
また、実施制５に係る表示板支持台１００は、上記実施例１〜実施例４のいずれかの表示板支持台１００について、
「各側面１１の両端縁を、他の各側面１１の各端縁に回動自在に連結するとともに、少なくとも１つの回動自在な連結部分について、分離及び連結可能にしたこと」
としたものである。
【００７９】
すなわち、この実施例５の表示板支持台１００では、各側面１１が回動自在であって、少なくとも１つの回動自在な連結部分について分離及び連結可能にしたから、この分離部分で分離してやれば、多角柱状の当該表示板支持台１００あるいは台本体１０を平らな板状物にすることができて、保管や運搬を簡単にすることができる。勿論、分離部分で逆に連結すれば、複数の側面１１が変形しない三角形状を構成することになって、強固な表示板支持台１００となるのである。
【００８０】
従って、この実施例５に係る表示板支持台１００は、上記実施例１〜実施例４のいずれかの表示板支持台１００と同様な機能を発揮する他、分離部分で分離して平らなものにでき、この分離部分で再び連結すれば強固なものとなって、より一層使用勝手のよいものとなっている。
【００８１】
（実施例６）
実施例６に係る表示板支持台１００は、上記実施例２〜実施例５のいずれかの表示板支持台１００について、
「スタンド２０は、表示板支持台１００の取付面１１ｃに対して取り付けられる取付部２２を上端に有し、下端には、前記施工場所に突き刺される突き刺し部２４を有したものとしたこと」
としたものである。
【００８２】
すなわち、この実施例６に係る表示板支持台１００は、そのスタンド２０を、表示板支持台１００の取付面１１ｃに対して取り付けられる取付部２２を上端に有し、下端には、前記施工場所に突き刺される突き刺し部２４を有したものとしたものである。
【００８３】
この実施例６の表示板支持台１００は、これを構成しているスタンド２０の下端が突き刺し部２４であるから、この突き刺し部２４を施工現場の地面に突き刺すだけで、施工現場に対する設置が簡単に行えるのである。そして、設置された表示板支持台１００によって、支持面１１ａに支持した表示板３０を所定の高さに支持及び固定することができるのである。
【００８４】
また、この実施例６の表示板支持台１００は、以上の設置だけでなく、これに支持した表示板３０の方向が適当でない場合には、適当な位置まで当該表示板支持台１００全体を横方向に回転させることができて、表示板３０の表示面を最適な状態に簡単にすることができる。何故なら、スタンド２０の突き刺し部２４は地面に突き刺してあるだけであるから、スタンド２０の本体蔀２１及び取付部２２の回転を簡単に行えるからである。
【００８５】
従って、この実施例６の表示板支持台１００は、上記実施例２〜実施例５のいずれかの表示板支持台１００と肉様な機能を発揮する他、スタンド２０の突き刺し部２４によって設置や回転が簡単に行えるものとなっているのである。
【００８６】
（実施例７）
そして、実施例７の表示板支持台１００は、上記実施例３〜実施例５のいずれかの表示板支持台１００について、
「スタンド２０は、表示板支持台１００の取付面１１ｃに対して取り付けられる取付部２２を上端に有し、下端には、前記施工場所に載置される載置板２５を有したものとしたこと」
としたものである。
【００８７】
すなわち、この実施例７の表示板支持台１００は、そのスタンド２０として、下端に前記施工場所に載置される載置板２５を有したものを採用したものである。載置板２５は、例えば図６に示したように、施工現場の地面上あるいはコンクリート面上に単に載置すればよいから、当該表示板支持台１００の設置を簡単に行えるものとしているだけでなく、ある程度の面積を有しているから、表示板支持台１００全体の支持を安定的に行えるのである。
【００８８】
従って、この実施例７の表示板支持台１００は、上記実施例２〜実施例５のいずれかの表示板支持台１００と同様な機能を発揮する他、スタンド２０の載置板２５によって設置が簡単に行えて、設置状態での安定性が十分なものとなっているのである。
【符号の説明】
【００８９】
１００    表示板支持台
１０    台本体
１０ａ  一端面
１０ｂ  他端面
１１    側面
１１ａ  支持面
１１ｂ  載置面
１１ｃ  取付面
１１ｄ  ネジ穴
１２    連結突起
１３    嵌合部
１４    係止爪
１４ａ  先端
１４ｂ  スライド空間
１５    位置決め穴
２０    スタンド
２１    本体部
２２    取付部
２２ａ  天板
２３    穴
２４    突き刺し部
２５    載置板
３０    表示板
３０ａ  単文字板
３１    蓋部
３２    突起
【図１】
2011180231.tif 000003
【図２】
2011180231.tif 000004
【図３】
2011180231.tif 000005
【図４】
2011180231.tif 000006
【図５】
2011180231.tif 000007
【図６】
2011180231.tif 000008
【図７】
2011180231.tif 000009
【図８】
2011180231.tif 000010
【図９】
2011180231.tif 000011
【図１０】
2011180231.tif 000012
【図１１】
2011180231.tif 000013
【図１２】
2011180231.tif 000014